(57)【要約】【課題】外部ＩＴＯ電極の存在により発生する表示不良を防止する。【解決手段】コモン電極パターン５が設けられた視認側の第２のガラス基板２には、液晶３とは反対側の面に、接地電位に設定される外部ＩＴＯ９が設けられている。また、第２のガラス基板２には、セグメント電極パターン４のうちコモン電極パターン５と重ならないように配置される部分であるセグメント電極引き廻し配線４ｂ（領域３２内のセグメント電極パターン４）間の隙間領域に、コモン電極パターン５の一部であるコモン電極引き廻しダミー配線５ｃが形成されている。【選択図】図１
2010020000.tif 000002
【特許請求の範囲】
【請求項１】
第１の透明電極パターンが設けられる第１の透明基板と、第２の透明電極パターンが設けられる第２の透明基板との間に液晶を挟持する液晶表示パネルであって、
視認側となる前記第２の透明基板の液晶側とは反対側の面に、接地電位に設定される透明電極である外部透明電極が設けられ、
前記第２の透明基板には、前記第１の透明電極パターンのうち前記第２の透明電極パターンと重ならないように配置される部分である第１電極引き廻し配線間の隙間領域に、第２の透明電極パターンの一部である第２電極引き廻しダミー配線が形成されている
ことを特徴とする液晶表示パネル。
【請求項２】
第２の透明電極パターンに挟まれる領域内に配置されている第１電極引き廻し配線の合計幅が所定の許容値以内に収まるように、第１の透明電極パターンおよび第２電極引き廻しダミー配線を含む第２の透明電極パターンが形成されている
請求項１に記載の液晶表示パネル。
【発明の詳細な説明】
【技術分野】
【０００１】
本発明は、液晶表示パネルに関し、特に、静電気による表示不良を防止可能な液晶表示パネルに関する。
【背景技術】
【０００２】
液晶表示パネルの表面に静電気が発生すると、その静電気により液晶に電圧が印加され、表示不良が生じる。このような表示不良を防止するため、液晶表示パネルの上面に帯電防止層を設け、その帯電防止層に生起した静電気を放電する構成が知られている（例えば、特許文献１参照）。特許文献１に記載された液晶表示パネルでは、上面の偏光板上にＩｎＴｉＯ３の帯電防止層が設けられる。また、接地パッドに接続されたメタルフレーム（金属フレーム）と帯電防止層とを電気的に接続させている。この結果、液晶表示パネルの上面に生起した静電気は放電され、静電気による表示不良を抑えることができる。
【０００３】
図７は、液晶表示パネルの上面に帯電防止層としてＩＴＯを設けた構成の例を示す模式的断面図である。図７に示す液晶表示パネルは、セグメント電極パターン５４が設けられた第１ガラス基板５１と、コモン電極パターン５５が設けられた第２ガラス基板５２との間に液晶５３を挟持する。セグメント電極パターン５４およびコモン電極パターン５５は、より具体的にはＩＴＯ（Ｉｎｄｉｕｍ  Ｔｉｎ  Ｏｘｉｄｅ）により形成される電極およびその引き廻し配線である。第１ガラス基板５１の外側の面には、偏光板５６および拡散板５７が設けられ、また、第１ガラス基板５１にはピン６２，６３が取り付けられている。また、第２ガラス基板５２の外側の面には、ＩＴＯ電極５９が設けられ、ＩＴＯ電極５９の上層に偏光板５８が設けられている。以下、ＩＴＯ電極５９をコモン電極パターン５５やセグメント電極パターン５４と区別し、外部ＩＴＯ５９と記す。外部ＩＴＯ５９は、偏光板５８より広く形成され、偏光板５８が存在しない領域の少なくとも一部に導電性弾性体６０が設けられる。さらに、液晶表示パネルの外縁にメタルフレーム６１が設けられている。メタルフレーム６１は接地され、また、導電性弾性体６０を介して外部ＩＴＯ５９に電気的に接続されている。
【０００４】
液晶表示パネルの第２ガラス基板５２側に静電気が発生したとしても、静電気は外部ＩＴＯ５９から、導電性弾性体６０およびメタルフレーム６１を介して放電される。図７に例示する構成は、特許文献１に記載された構成と、偏光板および帯電防止層の積層順が異なっているが、帯電防止層（図７に示す例では外部ＩＴＯ５９）からメタルフレームを介して静電気を放電する点で同様である。
【０００５】
図７に例示した構成では、外部ＩＴＯ５９からメタルフレーム６１を介して放電するが、図７に示す構成だけでは、表示不良を改善できない場合があった。図８は、外部ＩＴＯを設けても表示不良が生じる状態の例を示す説明図である。図７と同一の要素には、図７と同一の符号を付す。ただし、図８では、導電性弾性体６０、メタルフレーム６１、ピン６２，６３、拡散板５７の図示を省略している。
【０００６】
コモン電極パターン５５とセグメント電極パターン５４とが重なる領域７１の液晶の印加電圧は、その領域７１にあるコモン電極パターンおよびセグメント電極パターンに対して電位を設定することにより制御される。また、セグメント電極パターン５４が存在するが、コモン電極パターン５５が存在しない領域７２では、領域７１における所望の表示以外の表示が行われないように液晶が一定の状態を保つことが好ましい。しかし、画像表示のためにセグメント電極パターン５４は、適宜、電位が切り替えられる。すると、セグメント電極パターン５４と、常時、接地電位である外部ＩＴＯ５９との間に電位差が生じる。図９は、セグメント電極パターン５４と外部ＩＴＯ５９との間の電位差の例を示す説明図である。例えば、図９に示すように、液晶表示パネルの駆動時に、セグメント電極パターン５４に対して、接地電位（ＧＮＤと記す。）および、ＧＮＤ以上の電位（Ｖａとする。）への切り替え制御を行われたとする。すると、セグメント電極パターン５４の平均電位はＶａ／２となり、セグメント電極パターン５４および外部ＩＴＯ５９の間に電位差が生じる。セグメント電極パターン５４および外部ＩＴＯ５９との間に第２ガラス基板５２が存在するので、領域７２の液晶に電圧Ｖａ／２が直接印加されるわけではないが、微少な直流電圧が印加されることにより、領域７２の液晶は時間の経過とともに光透過状態になってしまう。すなわち、本来、光透過状態となるべきでない箇所が光透過状態になってしまう。
【０００７】
図１０は、外部ＩＴＯ５９とセグメント電極パターン５４との間に生じる電圧に起因して表示不良が生じる液晶表示パネルの例を示す説明図である。なお、図１０では、点線は、領域７２に発生する電場の電気力線を示している。図１０において電気力線が示すように、外部ＩＴＯ５９が設けられていると、外部ＩＴＯ５９とセグメント電極パターン５４とが重なる領域７２には、外部ＩＴＯ５９およびセグメント電極パターン５４に設定する電位の電位差により、電場が発生する。
【０００８】
図１１は、外部ＩＴＯ５９とセグメント電極パターン５４との間に生じる電圧に起因する表示不良を防止する液晶表示パネルの構成例を示す説明図である。図７と同一の要素には、図７と同一の符号を付す。ただし、図１１では、導電性弾性体６０、メタルフレーム６１、ピン６２，６３、拡散板５７の図示を省略している。図１１に示す構成では、セグメント電極パターン５４が存在するが、コモン電極パターン５５が存在しない領域７２において、第２ガラス基板５２上における液晶側の面にＩＴＯ電極パターン６５を設ける。ＩＴＯ電極パターン６５は、液晶５３を介してセグメント電極パターン５４に対向するように形成される。以下、ＩＴＯ電極パターン６５を、コモン電極パターン５５、セグメント電極パターン５４、および外部ＩＴＯ５９と区別し、内部ＩＴＯパターン６５と記す。
【０００９】
内部ＩＴＯパターン６５は、対向するセグメント電極パターン５４と等しい電位に設定される。具体的には、２枚のガラス基板５１，５２間に液晶を封止するためのシール材（図示略）に電導性ビーズを含め、電導性ビーズを介して、内部ＩＴＯパターン６５とセグメント電極パターン５４とを電気的に接続するトランスファー構造とする。内部ＩＴＯパターン６５は、対向するセグメント電極パターン５４に電気的に接続されていることにより、常に対向するセグメント電極パターン５４と等しい電位となる。この結果、領域７２において、液晶に電圧が印加されることはなく、図８を参照して説明した表示不良を防止できる。
【００１０】
特許文献２には、一方の基板上に信号線を設け、他方の基板上に信号線に対向するダミー電極を設け、ダミー電極と信号線とを接続配線で接続させる液晶パネルが記載されている。
【００１１】
【特許文献１】特開平５−１８８３８８号公報（段落０００９−００２１）
【特許文献２】特開２００３−１６１９５９号公報（段落００１３−００１９）
【発明の開示】
【発明が解決しようとする課題】
【００１２】
図１１に示すように、第２ガラス基板５２上に内部ＩＴＯパターン６５を形成することにより、コモン電極パターン５５が存在しない領域７２における表示不良の発生を防止することができる。しかし、トランスファー構造でセグメント電極パターン５４に接続される内部ＩＴＯパターン６５を常に形成できるとは限らず、内部ＩＴＯパターン６５を形成できない場合には、外部ＩＴＯ５９とセグメント電極パターン５４との電位差により表示不良が生じる場合がある。
【００１３】
例えば、セグメント電極パターンとコモン電極パターンとを電気的に接続させてはならないため、シール材を配置する箇所において一方の基板上のセグメント電極パターンと他方の基板上のコモン電極パターンとが交差する場合、そのシール材には電導性ビーズを含めない。その結果、トランスファー構造でセグメント電極パターン５４に接続される内部ＩＴＯパターン６５を第２ガラス基板５２に設けることができない場合がある。
【００１４】
また、例えば、第２ガラス基板５２に内部ＩＴＯパターン６５を配置しようとしても、その内部ＩＴＯパターン６５が、他の内部ＩＴＯパターン６５やコモン電極パターン５５に囲まれてしまい、シール材まで引き廻すことができず、トランスファー構造でセグメント電極パターン５４に接続させることができない場合がある。
【００１５】
以下、具体例を示す。図１２は、液晶表示画面の例を示す説明図である。図１２に示す各領域８１は、コモン電極パターンとセグメント電極パターンとが重なる領域であり、各領域８１の液晶の状態を制御して表示を行う。
【００１６】
図１３は、図１２に示す例示する液晶表示パネルにおける各電極パターンおよびシール材の配置例を示す説明図である。なお、図１３（ａ）〜（ｄ）では、いずれも液晶表示パネルの視認側から見た場合の各電極パターンおよびシール材の配置例を示している。図１３（ａ）は、第２ガラス基板５２に形成されたコモン電極パターンおよび内部ＩＴＯパターンを示す。図１３（ａ）では、コモン電極パターン５５ａ，５５ｂおよび内部ＩＴＯ６５ａ〜６５ｆが配置される。図１３（ａ）に示す例では、２つのコモン電極パターン５５ａ，５５ｂが順次選択される。図１３（ｂ）は、第１ガラス基板５１に形成されたセグメント電極パターン、およびコモン電極パターン５５ａ，５５ｂに接続される端子５４ｇ，５４ｈを示す。図１３（ｂ）に示す例では、各セグメント電極パターン５４ａ〜５４ｆ以外に、第２ガラス基板上のコモン電極パターンおよび内部ＩＴＯパターンに対向する対向電極パターン８２が設けられている場合を示している。
【００１７】
図１３（ｃ）は、第２ガラス基板５２に形成されたシール材を示す。図１３（ｃ）に示すシール材８３は、電導性ビーズを含む。また、図１３（ｄ）は、第１ガラス基板５１に形成されたシール材を示す。図１３（ｄ）に示すシール材８４は、電導性ビーズを含まない。各ガラス基板５１，５２を対向させ、電導性ビーズを含むシール材８３と、電導性ビーズを含まないシール材８４とに囲まれた空間に液晶が封止される。
【００１８】
図１３（ａ）に示すコモン電極パターン５５ｂと、図１３（ｂ）に示すセグメント電極パターン５４ｅとを導通状態にしないように、図１３（ｄ）に示すシール材８４には電導性ビーズが含められない。すると、図１３（ａ）に示す領域９１には、内部ＩＴＯパターンを配置しても、トランスファー構造で、対向するセグメント電極パターン５４ｅに接続させることができない。
【００１９】
また、図１３（ａ）に示す領域９２は、周囲をコモン電極パターン５５ａ，５５ｂおよび内部ＩＴＯパターン６５ａに囲まれている。そのため、領域９２には、トランスファー構造でセグメント電極パターン５４ｂに接続させることができるように、内部ＩＴＯパターンを配置することができない。
【００２０】
このように、図１３（ａ）に示す領域９１，９２では、トランスファー構造でセグメント電極パターンに接続される内部ＩＴＯパターンを配置できないため、外部ＩＴＯとセグメント電極パターンとの電位差により表示不良が発生し得る。
【００２１】
このような問題は、表示を視認する視認者側のガラス基板（第２ガラス基板５２）にセグメント電極を形成し、背面側のガラス基板（第１ガラス基板５１）にコモン電極を形成し、視認者側のガラス基板にＩＴＯを形成する場合でも、同様に発生する。
【００２２】
そこで、本発明は、トランスファー構造によって対向電極パターンと導通される内部ＩＴＯ電極パターンを配置しなくても、外部ＩＴＯ電極の存在により発生する表示不良を防止することができる液晶表示パネルを提供することを目的とする。
【課題を解決するための手段】
【００２３】
本発明による液晶表示パネルは、第１の透明電極パターン（例えば、セグメント電極パターン４）が設けられる第１の透明基板（例えば、第１ガラス基板１）と、第２の透明電極パターン（例えば、コモン電極パターン５）が設けられる第２の透明基板（例えば、第２ガラス基板２）との間に液晶を挟持する液晶表示パネルであって、視認側となる第２の透明基板の液晶側とは反対側の面に、接地電位に設定される透明電極である外部透明電極（例えば、外部ＩＴＯ９）が設けられ、第２の透明基板には、第１の透明電極パターンのうち第２の透明電極パターンと重ならないように配置される部分である第１電極引き廻し配線間の隙間領域に、第２の透明電極パターンの一部である第２電極引き廻しダミー配線（例えば、コモン電極引き廻しダミー配線５ｃ）が形成されていることを特徴とする。
【００２４】
また、本発明による液晶表示パネルは、第２の透明電極パターンに挟まれる領域内に配置されている第１電極引き廻し配線の合計幅が所定の許容値以内に収まるように、第１の透明電極パターンおよび第２電極引き廻しダミー配線を含む第２の透明電極パターンが形成されていてもよい。
【発明の効果】
【００２５】
本発明によれば、視認側の透明基板の液晶側とは反対側の面に、接地電位に設定される透明電極である外部透明電極が設けられ、第１電極引き廻し配線の束の隙間に対向する第２電極引き廻しダミー配線が、第２の透明基板に設けられる第２の透明電極パターンの一部として形成されているので、トランスファー構造によって対向電極パターンと導通される内部ＩＴＯ電極パターンを配置しなくても、外部ＩＴＯ電極の存在により発生する表示不良を防止することができる。
【発明を実施するための最良の形態】
【００２６】
以下、図面を参照して本発明の実施の形態を説明する。図１は、本発明による液晶表示パネルの構成の例を示す模式的断面図である。図１に示す液晶表示パネルは、セグメント電極パターン４が設けられた第１ガラス基板１と、コモン電極パターン５が設けられた第２ガラス基板２との間に液晶３を挟持する。なお、液晶３は、各ガラス基板１，２およびシール材によって封止されるが、シール材の図示は省略している。
【００２７】
液晶表示パネルの種類は、特に限定されない。例えば、ＴＮ（Twisted Nematic）モードや、ＳＴＮ（Super-Twisted Nematic）モードであってもよい。また、誘電率異方性が負の液晶を用い、液晶とコモン電極パターン形成層およびセグメント電極パターン形成層との界面に垂直配向膜を設けた液晶表示パネルであってもよい。
【００２８】
各ガラス基板１，２は、いずれも透明基板である。以下、表示が視認される側（視認側と記す。）のガラス基板である第２ガラス基板２にコモン電極パターン５が設けられ、背面側に配置される第１ガラス基板１にセグメント電極パターン４が設けられる場合を例にして説明するが、第２ガラス基板２にセグメント電極パターンが設けられ、第１ガラス基板１にコモン電極パターンが設けられていてもよい。
【００２９】
コモン電極パターン５およびセグメント電極パターン４は、より具体的にはＩＴＯにより形成される電極およびその引き廻し配線である。また、図１に示す液晶表示パネルでは、第２ガラス基板２に設けられるコモン電極パターン５の一部として、ダミーのコモン電極引き廻し配線（以下、コモン電極引き廻しダミー配線と記す。）５ｃが形成されている。コモン電極引き廻しダミー配線５ｃの詳細については、後述する。
【００３０】
また、液晶表示パネルの視認側に配置される第２ガラス基板２は、液晶３が存在している側の面とは反対側の面にＩＴＯ電極９を備える。以下、ＩＴＯ電極９を外部ＩＴＯ９と記す。外部ＩＴＯ９は、例えば、第２ガラス基板２の視認側の面全体に設けられる。
【００３１】
外部ＩＴＯ９の上層には、その外部ＩＴＯ９よりも狭い範囲に偏光板８が設けられる。また、第１ガラス基板１は、液晶３が存在している側の面とは反対側の面に偏光板６を備える。なお、図示を省略しているが、図７に例示する構成と同様に、背面側の偏光板６上に拡散板が設けられていてもよい。拡散板は、バックライトの光を液晶表示パネルの背面側から拡散して照射する。
【００３２】
外部ＩＴＯ９上において偏光板８が存在しない領域の少なくとも一部に導電性弾性体１０が設けられる。さらに、液晶表示パネルの外縁にメタルフレーム１１が設けられている。メタルフレーム１１は接地され、また、導電性弾性体１０を介して外部ＩＴＯ９に電気的に接続されている。
【００３３】
図２に、本発明の液晶表示パネルの上面図の例を示す。ただし、図２（ａ）は、メタルフレーム１１を取り付けていない状態を示し、図２（ｂ）は、メタルフレーム１１が取り付けられた状態を示している。図２（ａ）に示すように、偏光板８は、第２ガラス基板２の面全体に形成される外部ＩＴＯ９よりも狭く形成される。そして、外部ＩＴＯ９上において偏光板８が存在しない領域に導電性弾性体１０が設けられる。そして、図２（ｂ）に示すように、液晶表示パネルの外縁を覆うようにメタルフレーム１１が取り付けられた状態では、接地されているメタルフレーム１１と外部ＩＴＯ９が導電性弾性体１０を介して電気的に接続される。これにより、液晶表示パネルの第２ガラス基板２側に発生した静電気は、静電気は外部ＩＴＯ９から、導電性弾性体１０およびメタルフレーム１１を介して放電される。なお、図２（ａ）では、二箇所に導電性弾性体１０を設ける場合を例示しているが、導電性弾性体１０の配置態様は特に限定されない。例えば、導電性弾性体１０として、偏光板８の周囲を囲む導電性ガスケットを配置してもよい。
【００３４】
セグメント電極パターン４とコモン電極パターン５とは、所望の表示を行うため、ある領域においては重なるように、またある領域においては重ならないように配置される。以下、セグメント電極パターン４とコモン電極パターン５とが重なる領域３１を電極交差領域３１と呼ぶ場合がある。電極交差領域３１では、その領域に設けられたセグメント電極パターン４およびコモン電極パターン５に設定する電位の電位差を利用して液晶の状態を変化させることにより、表示が行われる。すなわち、電極交差領域３１は、点灯状態または消灯状態に切り替えて制御できる領域である。ここで、点灯状態とは、バックライトの光が液晶表示パネルを透過する状態を意味し、消灯状態とはバックライトの光が液晶表示パネルで遮断される状態を意味する。
【００３５】
以下、各電極パターンを用途により区別する際には、セグメント電極パターン４のうち電極交差領域３１に設けられた部分をセグメント電極４ａと記す。また、それ以外の部分をセグメント電極引き廻し配線４ｂと記す。同様に、コモン電極パターン５のうち電極交差領域３１に設けられた部分をコモン電極５ａと記す。また、それ以外の部分をコモン電極引き廻し配線５ｂと記す。
【００３６】
次に、図３を参照して本発明の液晶表示パネルにおける電極パターンの配置について説明する。図３は、液晶表示パネルに設けられる電極パターンの配置例を示す説明図である。ただし、図３（ａ）は本発明の電極パターン配置が適用されていない場合の例を示し、図３（ｂ）は本発明の電極パターン配置が適用された場合の例を示している。図３（ａ）および（ｂ）では、液晶表示パネルの電極パターン部分だけを視認側から見た状態として示している。なお、コモン電極５ａと重なるセグメント電極４ａについては、電極交差領域３１であることがわかるように網掛け模様を変えて図示している。
【００３７】
また、図３には、電極交差領域３１以外の領域（すなわち、点灯状態または消灯状態に切り替える制御ができない領域）として、セグメント電極パターン４が存在するがコモン電極パターン５が存在しない領域３２、およびコモン電極パターン５が存在するがセグメント電極パターン４が存在しない領域３３を示している。なお、領域３２は、静電対策用に外部ＩＴＯ９が設けられる本実施形態では、外部ＩＴＯ９とセグメント電極パターン４とが重なる領域となる。
【００３８】
図３（ａ）に示す例は、コモン電極パターン５間に、セグメント電極パターン４が６本位置し、セグメント電極パターン４群の中央部側パターンと外部ＩＴＯ９とにより表示不良が発生することがある。図３（ｂ）に示す例では、図３（ａ）に比べて、コモン電極パターン５とコモン電極パターン５に挟まれる領域内に配置されるセグメント電極引き廻し配線４ｂの幅が狭くとられている。また、コモン電極パターン５に挟まれる領域内に配置されるセグメント電極引き廻し配線４ｂの束の隙間領域に位置するように、コモン電極引き廻しダミー配線５ｃが追加されている。
【００３９】
具体的には、重ね合わせて見た場合にコモン電極パターン５とコモン電極パターン５の間に位置するように配置されるセグメント電極引き廻し配線４ｂによる配線幅αが所定の許容値以内となるように、セグメント電極パターン４およびコモン電極パターン５（コモン電極引き廻しダミー配線５ｃを含む。）が形成されている。なお、配線幅αは、複数のセグメント電極引き廻し配線４ｂが配置される場合には、その複数のセグメント電極引き廻し配線４ｂの各幅を合計した値を用いるものとする。すなわち、配線幅αは、換言すると、コモン電極パターン５に挟まれる領域内に配置されるセグメント電極引き廻し配線４ｂの合計幅である。
【００４０】
ここで、あるコモン電極パターン５とあるコモン電極パターン５とに挟まれる領域内に配置させるセグメント電極引き廻し配線４ｂの本数が多く、それら各セグメント電極引き廻し配線４ｂの幅を縮小させるだけではその領域内の配線幅αが許容値以内にならない場合には、図３（ｂ）に示す例のように、それらセグメント電極引き廻し配線４ｂの束の間に割り入るようにコモン電極引き廻しダミー配線５ｃを設ける。コモン電極引き廻しダミー配線５ｃを設けることによりコモン電極パターン５が存在しない領域が細分化され、細分化された領域内においてそれぞれのセグメント電極引き廻し配線４ｂによる配線幅αを許容値以内に収める。
【００４１】
コモン電極引き廻しダミー配線５ｃは、第２ガラス基板５上における液晶側の面にコモン電極パターン５の一部として形成されるＩＴＯ電極パターンであって、セグメント電極引き廻し配線４ｂの束を分けさせるためのＩＴＯ電極パターンである。コモン電極引き廻しダミー配線５ｃの一端は、コモン電極パターン５のいずれかとつながるように形成されることにより、そのコモン電極パターン５と等しい電位に設定され、他端は終端となっている。例えば、最も近くに配置されているコモン電極パターン５に接続して、そのコモン電極パターン５と常に等しい電位に設定されるようにしてもよい。
【００４２】
図４に、本発明の電極パターン配置が適用された液晶表示パネルの模式的断面図を示す。なお、図４では、点線は、外部ＩＴＯ９とセグメント電極パターン４との電位差により領域３２に発生する電場の電気力線を示している。前述の図１０と比べて図４に示す液晶表示パネルでは、コモン電極引き廻しダミー配線５ｃを設けてコモン電極パターン５に挟まれる領域３２が細分化されることによって、電気力線が各領域３２それぞれにおいて周りのコモン電極パターン５に引き寄せられて、細分化された各領域３２の液晶にかかる本数が減っている。これは、図１０に示す例と比べて、領域３２の液晶に加わる電圧が低下することを意味している。
【００４３】
また、図５は、本発明の液晶表示パネルに設けられる電極パターンの他の配置例を示す説明図である。ただし、図５（ａ）は本発明の電極パターン配置が適用されていない場合の例を示し、図５（ｂ）は本発明の電極パターン配置が適用された場合の例を示している。また、図５も図３と同様に、液晶表示パネルの電極パターン部分だけを視認側から見た状態として示している。
【００４４】
図５（ｂ）に示すように、コモン電極パターン５に挟まれる領域内に配置されるセグメント電極引き廻し配線４ｂの束に対して、複数のコモン電極引き廻しダミー配線５ｃを設ける場合もある。図５（ｂ）に示す例では、あるコモン電極パターン５とあるコモン電極パターン５とに挟まれる領域内に、９本のセグメント電極引き廻し配線４ｂを配置させる場合に、その９本からなるセグメント電極引き廻し配線４ｂの束を、３本からなるセグメント電極引き廻し配線４ｂの束に分ける。この結果、３つの配線束に分けられる。それらの配線束と配線束の間に計２本のコモン電極引き廻しダミー配線５ｃを配置している。
【００４５】
また、図６に示すように、あるコモン電極パターン５とあるコモン電極パターン５とに挟まれる領域内に配置するセグメント電極引き廻し配線４ｂの本数が少なく、各セグメント電極引き廻し配線４ｂの幅を縮小させれば、その領域内における配線幅αを許容値以内に収めることができる場合には、コモン電極引き廻しダミー配線５ｃを追加しなくてもよい。例えば、セグメント電極引き廻し配線４ｂの幅を、その領域内における配線幅αを許容値以内に収めることができる値に設定すればよい。なお、セグメント電極引き廻し配線４ｂの幅を縮小させることにより領域３２の幅が狭まった分は、その両脇に位置するコモン電極パターン５のいずれかまたは両方のコモン電極引き廻し配線５ｂ部分となる領域を広げればよい。
【００４６】
以下、実際に液晶表示パネルを用いて行った実験結果から求めた配線幅αの許容値を一例として提示する。発明者は、以下に示すように、一定の動作条件の下、コモン電極パターン５に挟まれる領域内に配置されるセグメント電極引き廻し配線４ｂの合計幅である配線幅αを０．１５ｍｍ以下にすると、表示不良が生じないことを確認した（下記（１）参照。）。
【００４７】
以下に、動作確認結果の一例を示す。
（１）配線幅α＝０．１５ｍｍ，駆動電圧＝８Ｖ，温度＝６５℃では、２時間経過しても表示不良は確認されなかった。
【００４８】
また、以下に示す条件の下では、表示不良を確認した。
（２）配線幅α＝０．２５ｍｍ，駆動電圧＝６．３Ｖ，温度＝５０℃では、３０分経過したときにわずかに表示不良が確認された。
（３）配線幅α＝０．３０ｍｍ，駆動電圧＝６．３Ｖ，温度＝５０℃では、３０分経過したときに表示不良が確認された。
【００４９】
ここで、駆動電圧は、セグメント電極パターンおよびコモン電極パターンの各電極パターンに設定する電位の最大値と最小値の差をいう。また、本実験は、誘電率異方性が負の液晶であって、液晶とコモン電極パターン形成層およびセグメント電極パターン形成層との界面に垂直配向膜を設けた液晶表示パネルを用いて行った。また、液晶表示パネルは、表示デューティ（Ｄｕｔｙ）を１／８、バイアス（Ｂｉａｓ）を１／４で駆動させた。
【００５０】
例えば、上記（１）で示すような駆動条件をもつ液晶表示パネルの場合には、配線幅αの許容値として０．１５ｍｍを設定してもよい。その上で、パターンずれ等を考慮し、同極間の引き廻し配線間に０．０５ｍｍ、異極間の引き廻し配線間には０．０７５ｍｍの隙間を設けることを前提に、例えば、各セグメント電極引き廻し配線４ｂの最小幅を０．０５ｍｍとしてもよい。この場合、１つの領域３２内に配置するセグメント電極引き廻し配線４ｂの本数は３本に制限される。従って、４本以上のセグメント電極引き廻し配線４ｂを配置したい場合には、セグメント電極引き廻し配線４ｂを多くても３本配置するごとにコモン電極引き廻しダミー配線５ｃを引き入れればよい。
【００５１】
また、実験の結果により、外部ＩＴＯ９とセグメント電極パターン４との電位差による表示不良は、室温よりも高温で発生しやすく、さらに駆動電圧が高いと発生することがわかった。例えば、Ｄｕｔｙが高く、駆動電圧が高い場合には、配線幅αの許容値をより狭く設定する必要がある。逆にＤｕｔｙが低く、駆動電圧が低い場合には、配線幅αの許容値を広く設定することが可能である。さらに、液晶のしきい値電圧も表示不良に関与していることが判明した。液晶のしきい値電圧が高い場合には配線幅αの許容値をより広く、液晶のしきい値が低い場合には配線幅αの許容値をより狭く設定することが可能である。
【００５２】
このように、液晶表示パネル全体において、全ての配線幅αが所定の許容値以内に収まるように、コモン電極引き廻しダミー配線５ｃを含むコモン電極パターン５およびセグメント電極パターン４を配置することによって、セグメント電極パターン４とコモン電極パターン５とが重ならない各領域３２の液晶に加わる外部ＩＴＯ９とセグメント電極パターン４との電位差により生じる電圧を低下させることができるので、この電位差により消灯状態であるべき箇所が点灯状態になってしまうといった表示不良を防止することができる。
【００５３】
なお、上記説明では、視認側のガラス基板である第２ガラス基板２にコモン電極パターン５が設けられ、背面側に配置される第１ガラス基板１にセグメント電極パターン４が設けられる液晶表示パネルに本発明の電極パターン配置を適用させる例に示したが、第２ガラス基板２にセグメント電極パターンが設けられ、第１ガラス基板１にコモン電極パターンが設けられる液晶表示パネルに対しても同様に適用可能である。このような場合には、セグメント電極パターンに挟まれる領域内に配置されるコモン電極パターンの合計幅を所定の許容値以内に収めるように、ダミーのセグメント電極引き廻し配線であるセグメント電極引き廻しダミー配線を含むセグメント電極パターンおよびコモン電極パターンを形成すればよい。
【００５４】
すなわち、視認側の第２ガラス基板に設けられるＩＴＯ電極パターンを視認側電極パターンとし、反視認側の第１ガラス基板に設けられるＩＴＯ電極パターンを反視認側電極パターンとすると、視認側電極パターンに挟まれる領域内に配置される反視認側電極パターンの合計幅を所定の許容値以内に収めるように、ダミーの視認側電極引き廻し配線を含む視認側電極パターンおよび反視認側電極パターンを形成すればよい。
【００５５】
なお、本発明の電極パターン配置は、トランスファー構造で対向電極パターンと導通される内部ＩＴＯ電極パターンを設ける電極パターン配置と組み合わせて適用させることも可能である。例えば、可能な限りトランスファー構造で対向電極パターンと導通される内部ＩＴＯ電極パターンを設けた上で、トランスファー構造によっては内部ＩＴＯ電極パターンを設けることができない箇所に、本発明の電極パターン配置を適用させてもよい。
【産業上の利用可能性】
【００５６】
本発明は、静電気による表示不良の発生防止が求められる液晶表示装置に好適に適用可能である。
【図面の簡単な説明】
【００５７】
【図１】本発明による液晶表示パネルの例を示す説明図。
【図２】本発明の液晶表示パネルの上面図の例を示す上面図。
【図３】本発明の液晶表示パネルに設けられる電極パターンの配置例を示す説明図。
【図４】本発明の電極パターン配置が適用された液晶表示パネルの模式的断面図。
【図５】本発明の液晶表示パネルに設けられる電極パターンの他の配置例を示す説明図。
【図６】本発明の液晶表示パネルに設けられる電極パターンの他の配置例を示す説明図。
【図７】液晶表示パネルの上面に帯電防止層としてＩＴＯを設けた構成の例を示す模式的断面図。
【図８】外部ＩＴＯを設けても表示不良が生じる状態の例を示す説明図。
【図９】セグメント電極と外部ＩＴＯとの間の電位差の例を示す説明図。
【図１０】外部ＩＴＯとセグメント電極との間に生じる電圧に起因する表示不良が生じる液晶表示パネルの例を示す説明図である。
【図１１】外部ＩＴＯとセグメント電極との間に生じる電圧に起因する表示不良を防止する液晶表示パネルの構成例を示す説明図。
【図１２】液晶表示画面の例を示す説明図。
【図１３】液晶表示パネルにおける各電極パターンおよびシール材の配置例を示す説明図。
【符号の説明】
【００５８】
１  第１ガラス基板
２  第２ガラス基板
３  液晶
４  セグメント電極パターン
４ａ  セグメント電極
４ｂ  セグメント電極引き廻し配線
５  コモン電極パターン
５ａ  コモン電極
５ｂ  コモン電極引き廻し配線
５ｃ  コモン電極引き廻しダミー配線
９  ＩＴＯ電極（外部ＩＴＯ）
【図１】
2010020000.tif 000003
【図２】
2010020000.tif 000004
【図３】
2010020000.tif 000005
【図４】
2010020000.tif 000006
【図５】
2010020000.tif 000007
【図６】
2010020000.tif 000008
【図７】
2010020000.tif 000009
【図８】
2010020000.tif 000010
【図９】
2010020000.tif 000011
【図１０】
2010020000.tif 000012
【図１１】
2010020000.tif 000013
【図１２】
2010020000.tif 000014
【図１３】
2010020000.tif 000015